(57)【要約】【課題】装置コストの高騰を抑えつつ引戸のスライドアシスト機能を有効に発揮させる。【解決手段】鴨居７０に設けられた鴨居側係合部材（第１実施形態ではトリガー６０）と、立て付け戸９０の移動範囲内の所定の範囲で係合プレート６０と係合する戸首部材２０側に設けられた戸首側係合部材（第１実施形態では舌片４９２）と、鴨居側係合部材および戸首側係合部材が互いに係合した状態で立て付け戸９０が移動することにより立て付け戸９０に付勢力を付与するコイルスプリング５０，５０′とからなり、蓄積されたコイルスプリング５０，５０′の付勢力を利用して立て付け戸９０の移動をアシストするように機能するバネ力伝達機構とを備えている。鴨居側および引戸側係合部材の少なくとも一方は、所定の上下幅に設定されているとともに、引戸のスライド方向に対して横方向で互いに係合するようにそれぞれの設置位置が設定されている。【選択図】図２
2010090571.tif 000002
【特許請求の範囲】
【請求項１】
頂部が鴨居の案内溝に遊嵌され、かつ、下縁部が敷居のガイド部に支持される引戸に対し開き方向および閉じ方向の少なくとも一方向へスライドアシスト力を付与する引戸のスライドアシスト装置において、
前記引戸の頂部に設けられた枠体と、この枠体内に一端がフリー状態で収容される引きバネと、前記引戸の一方向へのスライド時に前記引きバネを伸張させ、反対方向へのスライド時に引きバネの付勢力を前記スライドアシスト力として付与するバネ力伝達機構とを備え、
前記バネ力伝達機構は、前記鴨居の案内溝内に設けられた鴨居側係合部材と、前記引きバネのフリー端部側に取り付けられ引戸の移動範囲内の所定の範囲で前記鴨居側係合部材と前記引戸の側方側で係合する引戸側係合部材とを有し、
前記鴨居側および引戸側係合部材の少なくとも一方は、所定の上下幅に設定されていることを特徴とする引戸のスライドアシスト装置。
【請求項２】
前記鴨居側および引戸側係合部材の上下寸法の総和は、前記案内溝の溝壁の上下寸法と略同一ないしはそれより大きく設定されていることを特徴とする請求項１記載の引戸のスライドアシスト装置。
【請求項３】
前記鴨居側係合部材は、前記案内溝の溝壁から前記引戸側へ突出する突出部と、この突出部の上下の少なくともいずれかの端部からそれぞれ延設されるフランジ部とを有し、前記フランジ部は、前記鴨居における前記溝壁以外の部分に取り付けられていることを特徴とする請求項１または２記載の引戸のスライドアシスト装置。
【請求項４】
前記引戸側係合部材は、その下縁部が前記案内溝の開口部より下方に位置するように設定されていることを特徴とする請求項１乃至３のいずれかに記載の引戸のスライドアシスト装置。
【請求項５】
一方が前記引戸に対し開き方向へ向かうスライドアシスト力を付与し、他方が前記引戸に対し閉じ方向へ向かうスライドアシスト力を付与するように、当該引戸に一対で設けられていることを特徴とする請求項１乃至４のいずれかに記載の引戸のスライドアシスト装置。
【請求項６】
前記枠体には、前記引戸側係合部材の前記引戸のスライド方向への移動を案内するガイドスリットが設けられ、
前記引戸側係合部材は、前記引きバネに垂直軸回りに回動可能に取り付けられるとともに、この回動によって前記鴨居側係合部材に選択的に係止する第１および第２係止部が設けられ、
前記引戸の一方向へ向かうスライド時に、前記第１係止部が前記鴨居側係合部材に係止することによって引きバネが伸張するとともに、前記引戸側係合部材は、前記ガイドスリットの終端部に到達したとき所定方向へ向けて回動することにより前記第１係止部が前記鴨居側係合部材から外れてガイドスリットの終端部に保持され、
前記引戸の他方向へ向かうスライド時に、前記第２係止部が鴨居側係合部材に係止することにより、スライド部材が前記と反対方向へ回動して前記引きバネが解放されてその付勢力で引戸にアシスト力が付与されるように構成されていることを特徴とする請求項１乃至５のいずれかに記載の引戸のスライドアシスト装置。
【請求項７】
前記枠体は、前記鴨居の案内溝に遊嵌される引戸の戸首の一部として構成されていることを特徴とする請求項１乃至６のいずれかに記載の引戸のスライドアシスト装置。
【発明の詳細な説明】
【技術分野】
【０００１】
本発明は、一旦開放または閉止された引戸を閉止または開放するに際し、当該閉止または開放操作をアシストするように構成された引戸のスライドアシスト装置に関するものである。
【背景技術】
【０００２】
スライドアシスト装置は、一般には引戸（吊り戸タイプのものを含む）の自動閉じ装置として使用され、原理的には、引戸と戸枠との間に設けた引きバネのバネ力を閉じ方向に加えるように構成される（たとえば特許文献１参照）。
【０００３】
この種の装置の中には、バネ力を引戸の全ストロークを通じて作用させるのではなく、ストローク後半部分でのみバネ力伝達機構を介して作用させる方式（以下、一部アシスト方式という。たとえば特許文献２参照）のものが知られている。
【０００４】
この一部アシスト方式の装置におけるバネ力伝達機構は、たとえば、引きバネの一端側に上方へ突出して設けられたキャッチ体と、戸枠側に下方へ突出して設けられたフック体とからなり、引戸の開き方向のスライド時に、キャッチ体とフック体とが引戸の上方側で係合しフック体でキャッチ体を押して引きバネを伸長させるとともに、伸長状態でキャッチ体を水平軸回りに回動させ前記係合を解除してその位置に停止させ、閉じ方向のスライド時のストローク後半でキャッチ体とフック体とが引戸の上方側で係合することにより、キャッチ体を原姿勢に回動させて引きバネを解放し、そのバネ力（正確にはバネ反力）を引戸に閉じ方向のアシスト力として加えるように構成されている。
【特許文献１】実開昭５７−７７５７０号公報
【特許文献２】特開２００８−１５６８５１号公報
【発明の開示】
【発明が解決しようとする課題】
【０００５】
このような一部アシスト方式においては、バネ力伝達機構を構成する戸枠側の部材（上記の例ではフック体）と引戸側の部材（同、キャッチ体）とが引戸の上方側で係脱してバネの伸張・解放操作を行うため、これら両部材の上下の位置関係が一定であることが前提になる。つまり、両者が上下に離れ過ぎても、近づき過ぎても係脱作用が適正に機能しない。
【０００６】
ところが、このようなスライドアシスト装置が設置される引戸や戸枠には、寸法誤差や組み付け誤差等が存在する。これらの誤差等が存在した状態で設置された引戸や戸枠は、設置される毎に上下の位置関係が異なるため、前記係脱関係が適正に機能しない場合があった。
【０００７】
また、前記誤差に基づく引戸と戸枠との間の隙間を解消するべく、戸車に上下の高さを調整するアジャスタが装着される場合があり、アジャスタにより上下の高さ位置を調整した結果、引戸が傾く場合がある。このよう場合にも、引戸側および戸枠側の部材の上下位置関係が狂って動作不良が発生する。
【０００８】
このような場合に、特許文献２に記載のアシスト装置のように、戸枠側係合部材の突出量を調製することにより、係脱作用を適正に行わせるようにするものも知られているが、その調整作業が面倒であるばかりか、部品点数が増加するなどして装置コストが高くなるという問題点を有している。
【０００９】
本発明は、従来のかかる状況に鑑みなされたものであって、寸法誤差や組み付け誤差等に拘わらずに安価で簡単かつ適正に係脱作用を行わせることができる引戸のスライドアシスト装置を提供することを目的としている。
【課題を解決するための手段】
【００１０】
請求項１記載の発明は、頂部が鴨居の案内溝に遊嵌され、かつ、下縁部が敷居のガイド部に支持される引戸に対し開き方向および閉じ方向の少なくとも一方向へスライドアシスト力を付与する引戸のスライドアシスト装置において、前記引戸の頂部に設けられた枠体と、この枠体内に一端がフリー状態で収容される引きバネと、前記引戸の一方向へのスライド時に前記引きバネを伸張させ、反対方向へのスライド時に引きバネの付勢力を前記スライドアシスト力として付与するバネ力伝達機構とを備え、前記バネ力伝達機構は、前記鴨居の案内溝内に設けられた鴨居側係合部材と、前記引きバネのフリー端部側に取り付けられた引戸の移動範囲内の所定の範囲で前記鴨居側係合部材と前記引戸の側方側で係合する引戸側係合部材とを有し、前記鴨居側および引戸側係合部材の少なくとも一方は、所定の上下幅に設定されているとともに、引戸のスライド方向に対して横方向で互いに係合するようにそれぞれの設置位置が設定されていることを特徴とするものである。
【００１１】
かかる構成によれば、鴨居および引戸にそれぞれ設けられた鴨居側および引戸側係合部材の一方は、引戸の側方側で係合するので、引戸の頂面と鴨居の案内溝の下面との間の比較的狭い空間で係合する従来のアシスト装置と比べてその上下幅を十分に確保することができる。また、鴨居側および引戸側の少なくとも一方は、所定の上下幅に設定されているため、寸法誤差や組み付け誤差等による鴨居側および引戸側の上下の相対位置関係に変動があっても、所定幅に形成された少なくとも一方側の係合部材の幅寸法によって前記誤差等の上下位置関係の変動を吸収することができ、これにより両係合部材は、互いに確実に係合される。
【００１２】
しかも、このように構成することで、上下の相対位置関係の変動を調整するための調整装置を別途設ける必要がなく、その分、コストの上昇を抑制することができるとともに、当該調製装置の調整作業を要さず、安価でかつ簡単に鴨居側および引戸側の係合部材の係脱を行わせることができる。
【００１３】
請求項１記載の発明において、鴨居側および引戸側係合部材の上下寸法の総和は、案内溝の溝壁の上下寸法と略同一ないしはそれより大きく設定されている（請求項２）ことが好ましい。こうすることで、枠体が案内溝に遊嵌される引戸頂部に設けられているとともに、鴨居側係合部材が案内溝内に設けられていることと相まって、引戸の頂部が案内溝に遊嵌されている限り両係合部材は、少なくとも上下寸法のいずれかの個所で接触することとなり、上下位置関係の変動に拘わらず確実に係合される。
【００１４】
また、これらの発明において、鴨居側係合部材は、案内溝の溝壁から前記引戸側へ突出する突出部と、この突出部の上下の少なくともいずれかの端部からそれぞれ延設されるフランジ部とを有し、このフランジ部は、鴨居における溝壁以外の部分、例えば案内溝の天壁面や鴨居の下面に取り付けられている（請求項３）ことが好ましい。こうすることで、鴨居側係合部材を鴨居に取り付けるためのフランジ部が引戸側係合部材と干渉して誤作動することが確実に防止される。
【００１５】
また、これらの発明において、引戸側係合部材は、その下縁部が案内溝の開口部より下方に位置するように設定されている（請求項４）ことが好ましい。ところで、この種のアシスト装置にあっては、引戸側係合部材が鴨居側係合部材と係合し損なって適正に引きバネを伸張しなくなったり、あるいは引きバネの付勢力をスライドアシスト力として付与することができなくなったりするなど、アシスト装置として正常に機能し得なくなるような不都合が生じる場合がある。このような場合、従来は引戸の動作などからかかる不都合が生じていることを予測して、引戸を鴨居から外してアシスト装置を調整する必要があった。しかしながら、請求項４のように構成することにより、引戸側係合部材の下端部が鴨居から外部に露出しているので、アシスト装置の作動状態を簡単に視認することができ、しかも、誤操作が生じている場合には、露出している部分を操作することで簡単に正常な状態に調整することができる。
【００１６】
また、これらの発明において、一方が前記引戸に対し開き方向へ向かうスライドアシスト力を付与し、他方が前記引戸に対し閉じ方向へ向かうスライドアシスト力を付与するように、当該引戸に一対で設けられている（請求項５）ことが好ましい。こうすることで、引戸を開くときと閉じるときとの双方でスライドアシスト装置がその機能を発揮するため、引戸の開け閉めの双方が容易になるとともに、引戸の閉め残しおよび開け残しの双方が生じなくなる。
【００１７】
これらの発明において、枠体には、引戸側係合部材の引戸のスライド方向への移動を案内するガイドスリットが設けられ、引戸側係合部材は、引きバネに垂直軸回りに回動可能に取り付けられるとともに、この回動によって鴨居側係合部材に選択的に係止する第１および第２係止部が設けられ、引戸の一方向へ向かうスライド時に、第１係止部が鴨居側係合部材に係止することによって引きバネが伸張するとともに、引戸側係合部材は、ガイドスリットの終端部に到達したとき所定方向へ向けて回動することにより第１係止部が鴨居側係合部材から外れてガイドスリットの終端部に保持され、引戸の他方向へ向かうスライド時に、第２係止部が鴨居側係合部材に係止することにより、スライド部材がと反対方向へ回動して引きバネが解放されてその付勢力で引戸にアシスト力が付与されるように構成されている（請求項６）ことが好ましい。
【００１８】
かかる構成によれば、簡単な構造で装置コストの高騰を抑えつつ、この装置の機能を確実に確保した上でつつ具体的に実現される。
【００１９】
前記の各発明において、枠体は、鴨居の案内溝に遊嵌される引戸の戸首の一部として構成されている（請求項７）ことが好ましい。こうすることで、引戸の頂部に、当該引戸オリジナルの戸首に代えて枠体と取り替えることができるため、アシスト機能を有しない通常の引戸を、簡単なリフォーム処理で本発明に係るアシスト機能を備えたものに改修することができる。
【発明の効果】
【００２０】
本発明に係る引戸のスライドアシスト装置によれば、鴨居および引戸にそれぞれ設けられた鴨居側および引戸側係合部材は、引戸の側方側で係合するように構成され、また、少なくとも一方側が所定の上下幅に設定されているため、寸法誤差や組み付け誤差等による鴨居側および引戸側の相対位置関係に変動があっても、所定幅に形成された少なくとも一方側の係合部材の幅寸法によって前記誤差を吸収することができ、これにより両係合部材を互いに確実に係合させることができる。
【００２１】
従って、寸法誤差や組み付け誤差等による鴨居側および引戸側の相対位置関係が変わった場合、従来のように鴨居側および引戸側の各係合部材の上下の相対的な位置関係を調整部材を別途設ける必要はなく、その分、装置コストの低減化に貢献することができ、また面倒な調整作業も不要にすることができる。
【発明を実施するための最良の形態】
【００２２】
図１は、本発明に係る引戸のスライドアシスト装置の第１実施形態が適用された立て付け戸を示す一部切り欠き斜視図である。なお、図１においてＸ方向を左右方向、Ｙ方向を前後方向といい、特に−Ｘを左方、＋Ｘを右方、−Ｙを前方、＋Ｙを後方という。因みに、本発明における「引戸の側方」とは、Ｙ方向をいうものとする。そして、図１に示す例において、立て付け戸９０は、左右のいずれかの一方向へ向かうと開放され、他方向へ向かうと閉止されるのであるが、以下、左方へ向かうと閉止され、右方へ向かうと開放されるとして説明する。
【００２３】
図１に示すように、第１実施形態のスライドアシスト装置１０は、頂部が鴨居７０に設けられた下面開放の鴨居用案内溝７１に遊嵌され、かつ、下縁部が敷居８０に開閉方向へ延びるように設けられた下部案内溝（ガイド部）８１に嵌め込まれた状態で左右方向に正逆移動して開閉可能とされた、いわゆる立て付け戸（引戸）９０を対象とするものである。鴨居用案内溝７１は、溝幅寸法が、後述する角筒体３０の前後幅寸法に後述する引掛け部材４９の角筒体３０からの突出量を加えた寸法より若干広めに設定されている。
【００２４】
立て付け戸９０は、平らな板状の戸本体９１と、この戸本体９１の上縁部に設けられる目隠し板９２と、この戸本体９１の下縁部に取り付けられた左右方向一対に戸車９３とを備えている。かかる立て付け戸９０は、後に説明する第２実施形態の引戸のスライドアシスト装置１０に適用されたものと同一である。
【００２５】
そして、このような立て付け戸９０に適用される第１実施形態のスライドアシスト装置１０は、戸本体９１の上縁部の左右対称位置に取り付けられる左右一対の戸首部材２０と、この戸首部材２０に対応して前記鴨居７０の鴨居用案内溝７１の前方内壁（溝壁）７３に固定された左右一対のトリガー（鴨居側係合部材）６０とを備えている。一対のトリガー６０は、立て付け戸９０を開閉するに際し、一対の戸首部材２０の内の対応した一方側のものの引掛け部材４９と係合させるためのものであり、鴨居用案内溝７１の前方内壁７３の左右対称位置にそれぞれ取り付けられている。
【００２６】
スライドアシスト装置１０がそれぞれ左右一対で設けられる理由は、立て付け戸９０を開くときと閉じるときとの双方でスライドアシスト装置１０のアシスト機能を享受し得るようにするためである。
【００２７】
そして、各戸首部材２０の前後幅寸法は、立て付け戸９０の厚み寸法より若干小さめ（具体的には立て付け戸９０の厚み寸法の略２／３）に設定されている。かかる各戸首部材２０の対向端面には、それぞれ装着隙間２９１を有する直方体状の二股片２９が固定されている。各装着隙間２９１は、二股片２９の対向面に上下方向に延びるように設けられている。なお、第１実施形態では、二股片２９の前後幅寸法が戸首部材２０のそれより若干大きめに設定され、これによって二股片２９の前縁部が戸首部材２０から前方へ向けて突出した状態になっている。
【００２８】
前記目隠し板９２は、左右の端部がこれら一対の二股片２９の各装着隙間２９１に嵌め込まれることにより、一対の戸首部材２０間に形成された間隙が埋められ、これによってこの部分を通した向こう側が目隠しされるようになっている。
【００２９】
以下、かかる引戸のスライドアシスト装置１０について、図２〜図５を基に必要に応じて図１も参照しながらさらに詳細に説明する。図２は、第１実施形態に係る左側の戸首部材２０を示す一部切り欠き分解斜視図であり、図３および図４はその組み立て斜視図である。そして、特に図３は、立て付け戸９０が閉止された状態、図４は、立て付け戸９０が開放された状態をそれぞれ示している。図３および図４における円外にはトリガー６０を図示していない代わりに、円内にはトリガー６０と舌片４９２との相対的な位置関係を示している。また、図５は、図３の円内の図のＶ−Ｖ線断面図である。なお、図２〜図５においてＸおよびＹによる方向表示は、図１の場合と同様（−Ｘ：左方、＋Ｘ：右方、−Ｙ：前方、＋Ｙ：後方）である。
【００３０】
さらに、図２〜図５においては、左右対称に一対で設けられた戸首部材２０およびトリガー６０の内の左側のもののみを示している。右側のものは、左側のものと左右対称に形成されていることを除いてその構成は左側のものと同一である。そして、左側の戸首部材２０は、立て付け戸９０を閉じるときに当該閉止操作をアシストし、右側の戸首部材２０は、立て付け戸９０を開くときに当該開放操作をアシストする。
【００３１】
まず図２に示すように、第１実施形態に係る引戸のスライドアシスト装置１０は、戸本体９１の上縁部の左右対称位置に取り付けられる左右一対の戸首部材２０と、この戸首部材２０に対応して前記鴨居７０の鴨居用案内溝７１の前方内壁７３に設けられた左右一対のトリガー（鴨居側係合部材）６０とを備えている。
【００３２】
一対のトリガー６０は、立て付け戸９０を開閉するに際し、一対の戸首部材２０の内の対応した方の後述する舌片４９２と係合させるためのものであり、鴨居用案内溝７１の前方内壁７３の左右対称位置にそれぞれ取り付けられている。
【００３３】
前記戸首部材２０は、第１エッジブロック２２および第２エッジブロック２３がそれぞれの端部に嵌め込まれる角筒体３０と、この角筒体３０に内装されるショックアブソーバ４０と、このショックアブソーバ４０と平行に角筒体３０に内装されるコイルスプリング（引きバネ）５０と、前記ショックアブソーバ４０およびコイルスプリング５０を介して前記第２エッジブロック２３と対向配置され、かつ、角筒体３０内で移動可能に内装されたスライドブロック４５と、このスライドブロック４５に装着され、かつ、立て付け戸９０の開閉操作で前記トリガー６０と係合したり係合が解除されたりする舌片４９２とを備えて構成されている。前記ショックアブソーバ４０は、長さ寸法が角筒体３０の左右方向の寸法の略半分に設定されている。
【００３４】
そして、第１実施形態における本発明に係るバネ力伝達機構は、鴨居７０に設けられたトリガー（鴨居側係合部材）６０と、コイルスプリング５０のフリー端部側に取り付けられたスライドブロック４５と、このスライドブロック４５に取り付けられた立て付け戸９０の移動範囲内の所定の範囲でトリガー６０と係合する引掛け部材４９とを備えて構成されている。
【００３５】
前記第１エッジブロック２２は、図２に示す角筒体３０の左端部に装着されるものであり、角筒体３０に内嵌される略直方体条のブロック本体２２１と、このブロック本体２２１の左端面から左方へ向けて延設されたブロック本体２２１より若干大きい食み出しブロック２２２と、ブロック本体２２１の右端面から右方へ向かって突設された平面視でＬ字状を呈する台座ブロック２２３とを備えている。
【００３６】
前記ブロック本体２２１は、四囲が角筒体３０の内壁面に当接状態で角筒体３０に内装される。かかるブロック本体２２１には、上下の面にネジ孔２２１ａが螺設され、角筒体３０を貫通したネジＳがこれらのネジ孔２２１ａに螺着されることにより、第１エッジブロック２２が角筒体３０に固定される。
【００３７】
前記食み出しブロック２２２は、左右方向から見た形状が角筒体３０の端面視の形状と同一に設定され、これによってエッジブロック２１が角筒体３０に内嵌された状態で食み出しブロック２２２の周面は角筒体３０の周面と面一になる。かかる食み出しブロック２２２には、上下方向に延びた貫通孔２２２ａが穿設され、この貫通孔２２２ａにネジＳが挿通されて立て付け戸９０の上面に螺設された図略のネジ孔に螺着されて締結されることにより、戸首部材２０の左端部が立て付け戸９０に固定されるようになっている。
【００３８】
前記台座ブロック２２３は、引掛け部材４９の後面側を受けるものであり、ブロック本体２２１の前後方向の略中央部から右方へ向かって突設された受台２２３ａと、この受台２２３ａの右縁部から後方へ向かって折り返された状態の脚部２２３ｂとからなっている。脚部２２３ｂの後縁部は、角筒体３０の後方内壁面に当止されるように寸法設定されている。
【００３９】
前記第２エッジブロック２３は、ショックアブソーバ４０およびコイルスプリング５０の右端部を取り付けるためのものである。かかる第２エッジブロック２３は、内壁面に当接状態で角筒体３０に嵌入されるように寸法設定され、二股片２９の左端面から一体的に延設されている。かかる第２エッジブロック２３には、その左面下部位置にショックアブソーバ４０の右端部を嵌入するための円孔２３１が凹設されているとともに、この円孔２３１の上方位置には、上方に向かって突設された左右方向から見てＹ字状のＹ字片２３２が設けられている。このＹ字片２３２は、コイルスプリング５０の右端部を係止するためのものである。
【００４０】
また、第２エッジブロック２３の上下の面には、上下方向に延びたネジ孔２３３がそれぞれ螺設されている。そして、第２エッジブロック２３が右面開口から角筒体３０内へ差し込まれた状態で、角筒体３０を貫通したネジＳをネジ孔２３３に螺着して締結することにより、第２エッジブロック２３が角筒体３０に固定される。
【００４１】
さらに、第２エッジブロック２３には、前記円孔２３１に対応した位置に、当該円孔２３１を横断した状態でかしめ孔２３４が穿設されている。このかしめ孔２３４は、ショックアブソーバ４０の右端部が円孔２３１に嵌入された状態で、当該ショックアブソーバ４０を貫通するピン（垂直軸）Ｐを通して当該ピンＰにかしめ処理を施させるためのものである。
【００４２】
一方、第２エッジブロック２３と一体の前記二股片２９には、上下方向に延びた貫通孔２９２が穿設され、ネジＳをこの貫通孔２９２を通して立て付け戸９０の上縁面に螺設された図略のネジ孔に螺着し締結することで戸首部材２０の右端部が立て付け戸９０に固定されることになる。
【００４３】
前記角筒体３０は、金属板を端面視でコ字状を呈する前面側が開放状態の第１アングル材３１と、この第１アングル材３１に全長に亘って前方から外嵌される後面側が開放状態の端面視でコ字状を呈する第２アングル材３２とからなっている。
【００４４】
前記第１アングル材３１には、その上下の横板３１４における前後のエッジブロック２２，２３の各ネジ孔２２１ａ，２３３に対応した位置にネジ孔３１５がそれぞれ螺設されているとともに、前記第２アングル材３２には、その上下の横板３２３における前後の前記ネジ孔３１５に対応した位置にはネジＳを挿通して前記第２エッジブロック２３のネジ孔２３３に螺着させるための挿通孔３２４がそれぞれ穿設されている。
【００４５】
従って、第１アングル材３１に第２アングル材３２を外嵌して角筒体３０を形成させた状態で、当該角筒体３０の左端部に第１エッジブロック２２のブロック本体２２１を嵌め込むとともに、角筒体３０の右端部に第２エッジブロック２３を嵌め込んだ状態で、ネジＳを角筒体３０の前後の挿通孔３２４およびネジ孔３１５を介して第１エッジブロック２２のネジ孔２２１ａおよび第２エッジブロック２３のネジ孔２３３にそれぞれ螺着することによって、第１アングル材３１および第２アングル材３２が一体化されるとともに、角筒体３０に第１および第２エッジブロック２２，２３が固定される。
【００４６】
本実施形態においては、前記角筒体３０と、この角筒体３０の左端部に装着される前記第１エッジブロック２２と、同右端部に装着される第２エッジブロック２３とで本発明に係る枠体が形成されている。
【００４７】
そして、第１実施形態においては、左右方向へ延びるガイドスリット３３およびこのガイドスリット３３に連設された上下幅寸法がガイドスリット３３のそれより広い角孔３４が第２アングル材３２の縦板３２１側に設けられている。ガイドスリット３３は、第２アングル材３２の縦板３２１の左右方向の中央部より若干左方位置を始点にして左方へ延びるように設けられている。角孔３４は、かかるガイドスリット３３の左端部に連設されている。角孔３４は、縦板３２１の略全上下幅に亘るように大きく形成されている。
【００４８】
前記ショックアブソーバ４０は、図３に示すように、前記角筒体３０に内装されるものであり、角筒体３０内で左方側に配設される内筒体４１と、この内筒体４１に摺接状態で右方から外嵌される外筒体４２とを備えている。かかるショックアブソーバ４０は、スライドアシスト装置１０による立て付け戸９０の開閉操作のアシスト時に、当該立て付け戸９０が急激に移動するのを緩衝して穏やかにアシストさせるためのものである。
【００４９】
かかる緩衝作用のために、ショックアブソーバ４０の適所に図略の一方弁が設けられ、内筒体４１が外筒体４２から引き出されるときは、当該一方弁が開放して空気がショックアブソーバ４０内に容易に吸入される一方、内筒体４１が外筒体４２に押し込まれるときは当該一方弁が半開状態とされ、これによる気流に対する大きな抵抗の付与で内筒体４１の外筒体４２への押し込み速度が緩やかになるようになされている。
【００５０】
前記内筒体４１の左端部には、挿通孔４１６ａの穿設された第１ブラケット４１６が設けられているとともに、外筒体４２の右端部には、挿通孔４２６ａの穿設された第２ブラケット４２６が設けられている。第１ブラケット４１６の挿通孔４１６ａは、ピンＰを通してスライドブロック４５に内筒体４１を連結するためのものである。
【００５１】
また、第２ブラケット４２６の挿通孔４２６ａは、外筒体４２の右端部を第２エッジブロック２３の円孔２３１に嵌入した状態で、かしめ孔２３４に差し通されたピンＰを挿通させるものであり、こうすることで外筒体４２の右端部が第２エッジブロック２３に固定される。
【００５２】
前記コイルスプリング５０は、第２エッジブロック２３とスライドブロック４５との間に介設されてスライドブロック４５に付勢力を付与するためのものである。かかるコイルスプリング５０の各端部には、円形係止片５５が同心で固定されている。これらの円形係止片５５の左方のものがスライドブロック４５に係止されるとともに、右方のものが第２エッジブロック２３に係止され、これによってコイルスプリング５０がスライドブロック４５および第２エッジブロック２３間に張設されるようになっている。
【００５３】
前記スライドブロック４５は、立て付け戸９０の開閉動作をアシストするべく、当該アシスト力（具体的にはコイルスプリング５０の付勢力）を蓄積するとき、および蓄積されたアシスト力（コイルスプリング５０の付勢力）を立て付け戸９０の開閉動作に与えるときに角筒体３０内を摺動するものである。
【００５４】
かかるスライドブロック４５は、直方体状を呈したブロック基体４５１と、このブロック基体４５１の左前方角部の上下方向の中央部が切り欠かれることによって形成された上下一対の軸支板４５２と、これら一対の軸支板４５２間の右方位置でブロック基体４５１から前方に向かって突設された突設片４５３と、ブロック基体４５１の右端部に形成された二股部分の隙間が上下方向へ延びて上部が開放状態のＹ字片４５４とを備えている。
【００５５】
前記一対の軸支板４５２に引掛け部材４９を装着するための装着空間４６が形成されている。かかる一対の軸支板４５２には、その前方左角部に上下方向に延びたかしめ孔４５２ａがそれぞれ穿設されている。そして引掛け部材４９の適所が装着空間４６に嵌め込まれた状態で、引掛け部材４９を貫通するようにかしめ孔４５２ａにピンＰを差し込み、かしめ止めすることで引掛け部材４９がスライドブロック４５に装着された状態になる。そして、本実施形態においては、スライドブロック４５と引掛け部材４９とで本発明に係る引戸側係合部材が形成されている。
【００５６】
前記突設片４５３は、上下寸法が前記ガイドスリット３３の上下寸法より僅かに短めに設定され、これによってスライドブロック４５が角筒体３０に内装された状態で、ガイドスリット３３から前方に向かって外部に突出するようになされている。
【００５７】
本実施形態のスライドブロック４５は、突設片４５３が設けられているため、立て付け戸９０を急激に開閉操作した場合、この突設片４５３がトリガー６０の係合条（突出部）６６と係合し、これによってスライドブロック４５の急激な移動が円筒部材４０の作用で抑えられるため、結果として立て付け戸９０の急激な開閉を抑制することができる。
【００５８】
前記Ｙ字片４５４は、コイルスプリング５０の左の円形係止片５５を係止するためのものであり、当該円形係止片５５の軸の部分をＹ字片４５４の隙間に嵌め込むことでコイルスプリング５０は、その左端がスライドブロック４５に装着される。一方、コイルスプリング５０の右端部の円形係止片５５は、前記のように第２エッジブロック２３のＹ字片２３２に係止される。左右の円形係止片５５がスライドブロック４５および第２エッジブロック２３の各Ｙ字片４５４，２３２に係止されることにより、コイルスプリング５０がスライドブロック４５および第２エッジブロック２３間に介設された状態になる。
【００５９】
また、ブロック基体４５１には、その右端面における第２エッジブロック２３の前記円孔２３１に対向した位置に内筒体４１の左端部を嵌め込むための円孔４５５が凹設されているとともに、この円孔４５５を横断するように前後方向へ延びたかしめ孔４５６が穿設されている。そして、内筒体４１の左端部が円孔４５５に嵌入された状態で、ピンＰがかしめ孔４５６および第１ブラケット４１６の挿通孔４１６ａにそれぞれ嵌入してかしめ止めされることにより、内筒体４１がスライドブロック４５に連結される。
【００６０】
前記引掛け部材４９は、スライドブロック４５に装着された状態で、立て付け戸９０の開閉動作に応じ（具体的には、左側のスライドアシスト装置１０については立て付け戸９０の閉止操作時、右側のスライドアシスト装置１０については、立て付け戸９０の開放操作時）トリガー６０と係合してスライドブロック４５の鴨居７０に対する相対移動を阻止するためのものである。
【００６１】
かかる引掛け部材４９は、平面視で左方に向かって先細りに形成された三角形状を呈する三角ブロック４９１と、この三角ブロック４９１の前面左半分の部分に固定された平面視で左方へ向かって先細りの舌片４９２とを備えている。前記三角ブロック４９１は、スライドブロック４５の一対の軸支板４５２間に形成された前記装着空間４６に装着されるものであり、上下寸法が装着空間４６の上下寸法より僅かに小さめに設定されている。かかる三角ブロック４９１は、左右方向の略中央部に上下方向に延びた前記かしめ孔４５２ａの対応する挿通孔４９１ａが穿設されている。そして、ピンＰがこれらかしめ孔４５２ａおよび挿通孔４９１ａに貫通された状態でかしめ止めされることにより、引掛け部材４９がピン（垂直軸）Ｐ回りに回動可能に軸支された状態でスライドブロック４５に装着される。
【００６２】
前記舌片４９２は、上下寸法がガイドスリット３３の上下寸法より長く、かつ、角孔３４の上下寸法より短く設定されているとともに、左右寸法が角孔３４の左右寸法より若干短めに設定されている。そして、舌片４９２がガイドスリット３３の範囲内にあるときは、当該舌片４９２は、図３に示すように、ガイドスリット３３から角筒体３０の外部に突出した状態になっている。
【００６３】
この状態で、舌片４９２の右角部（第１係止部）４９２ａが、図３の円内に示すように、トリガー６０の後述の係合条６６に当接している。従って、この状態で立て付け戸９０を開放するべく右方へ移動させると、舌片４９２の右角部４９２ａが係合条６６に当止してスライドブロック４５がこれ以上右方へ移動しなくなるため、スライドブロック４５がその位置に残ったまま角筒体３０のみが右方へ移動することになる。この移動によってコイルスプリング５０は伸張し、付勢力が蓄積されていく。
【００６４】
そして、立て付け戸９０の開放操作を継続すると、ついには舌片４９２がガイドスリット３３を相対的に通り越して角孔３４へ到達する。この角孔３４へ到達した舌片４９２は、その傾斜面４９２ｂが角孔３４の左縁部と係合して当該傾斜面４９２ｂが角孔３４の左縁部に誘導され、図４に示すように、ピンＰ回りに時計方向へ回動して角筒体３０内へ没入する。
【００６５】
そして、角筒体３０内へ没入した舌片４９２は、その右角部４９２ａが角孔３４の右縁部と係合しているため、コイルスプリング５０は伸張状態を維持したまま、舌片４９２が係合条６６を通過して戸首部材２０はさらに右方へ移動することができる。
【００６６】
逆に、閉止された立て付け戸９０を開放していくとき（すなわち、立て付け戸９０を左方へ移動させるとき）は、立て付け戸９０がある程度開放された状態で引掛け部材４９の三角ブロック４９１の前方右縁部（第２係止部）４９１ｂが係合条６６と係合し、これによって引掛け部材４９がピンＰ回りに反時計方向に回動して舌片４９２が角孔３４から外部へ抜け出す。これによりコイルスプリング５０の付勢力で引掛け部材４９がガイドスリット３３を相対的に右方へ移動しつつ立て付け戸９０がコイルスプリング５０の付勢力によって開放されることになる。
【００６７】
ところで、この種のアシスト装置にあっては、引掛け部材４９の舌片４９２がトリガー６０の係合条６６と係合し損なって適正にコイルスプリング５０を伸張し得なくなったり、あるいはコイルスプリング５０の付勢力をスライドアシスト力として付与することができなくなったりするなど、スライドアシスト装置１０として正常に機能し得なくなるような場合がある。
【００６８】
また、立て付け戸９０を閉めきったり開ききったりしたとき、係合姿勢から解除姿勢に姿勢変更しなければならないはずの舌片４９２が、係合姿勢のままになっているような場合もある。このような場合、従来の装置では、立て付け戸９０を鴨居７０から外してスライドアシスト装置１０を調整する必要があった。
【００６９】
そこで、引掛け部材４９の下部を、図５に示すように、鴨居用案内溝７１から下方へ向けて突出させるように構成することで、舌片４９２の下端部が鴨居７０から外部に露出しているので、舌片４９２が正常に動作しなくなったような場合、これを一別することができるとともに、誤動作が生じている場合には、舌片４９２の露出している部分を手で操作することにより簡単に正常な状態に調整することができるようになった。
【００７０】
前記トリガー６０は、立て付け戸９０の開閉操作時に引掛け部材４９の舌片４９２と係合させるためのものであり、立て付け戸９０が開放されたり閉止されたりしたときに、舌片４９２とスライドブロック４５の突設片４５３との間に位置するように前方内壁７３の側に取り付けられている。
【００７１】
かかるトリガー６０は、金属板を所定の形状にプレス処理することによって形成され、左右方向から見て１段の階段状に形成されており、板状の上部ブラケット片（フランジ部）６４と、この上部ブラケット片６４より下方位置に位置設定される下部ブラケット片（フランジ部）６５と、上部ブラケット片６４の前縁部と下部ブラケット片６５の後縁部との間に架設された上下方向に延び、かつ、後方へ向けて膨出した係合条６６とを備えている。係合条６６は、上下寸法が鴨居用案内溝７１の前方内壁７３の上下長と同一に設定されている。
【００７２】
また、上部および下部ブラケット片６４，６５には、それらの中央部に貫通孔６７がそれぞれ穿設されている。そして、上部ブラケット片６４が鴨居用案内溝７１の天井に当接されるとともに、下部ブラケット片６５が鴨居７０の鴨居用案内溝７１より前方の下面に当接された状態で、それぞれの貫通孔６７，６７に木ネジＭを差し通して鴨居７０へねじ込むことにより、トリガー６０が、図２に示すように、鴨居７０に固定される。
【００７３】
以下、図６および図７を基に、第１実施形態に係るスライドアシスト装置１０の作用について説明する。図６および図７は、スライドアシスト装置１０の作用を説明するための平面視の一部断面説明図であり、図６（Ａ）は、立て付け戸９０が閉止されることによって舌片４９２が係合姿勢に姿勢設定されたスライドアシスト装置１０が最左端に位置した状態、図６（Ｂ）は、立て付け戸９０の開放動作によってコイルスプリング５０が伸張しつつある状態、図６（Ｃ）は立て付け戸９０が所定距離だけ移動したことにより引掛け部材４９の舌片４９２が角孔３４に到達してピンＰ回りに時計方向に回動して解除姿勢に姿勢変化し、角孔３４を介して角筒体３０内へ没入した状態、図６（Ｄ）は、解除姿勢に姿勢設定された舌片４９２がトリガー６０の係合条６６を遣り過ごしてコイルスプリング５０の付勢力を維持したまま立て付け戸９０が開放動作を継続している状態をそれぞれ示している。
【００７４】
また、図７（Ａ）は、一旦開放された立て付け戸９０を閉止操作することにより、引掛け部材４９の三角ブロック４９１の前方右縁部４９１ｂがトリガー６０の係合条６６に係合した状態、図７（Ｂ）は、舌片４９２が角孔３４から抜け出して解除姿勢から係合姿勢へ姿勢変化し、これによって舌片４９２の右角部４９２ａが係合条６６に係合した状態をそれぞれ示している。なお、図６および図７におけるＸおよびＹによる方向表示は図８の場合と同様（−Ｘ：左方、＋Ｘ：右方、−Ｙ：前方、＋Ｙ：後方）である。
【００７５】
まず、図６（Ａ）に示すように、立て付け戸９０が閉止された状態では、引掛け部材４９の舌片４９２はガイドスリット３３に嵌り込んだ係合姿勢に設定され、かつ、舌片４９２の右角部４９２ａがトリガー６０の係合条６６に係合した状態になっている。このとき、コイルスプリング５０は、付勢力が略発生しない最小長さになっている。
【００７６】
この状態で立て付け戸９０を右方へ移動させて開放していくと、舌片４９２は、その右角部４９２ａがトリガー６０の係合条６６と係合していて右方へ移動することができないため、結局スライドブロック４５がこの位置に残留したまま角筒体３０のみが右方へ移動していくことになる。従って、角筒体３０のこの移動により、コイルスプリング５０が伸張していき、付勢力が蓄積されていく。
【００７７】
そして、角筒体３０の移動が進行して舌片４９２が角孔３４に対応した状態になると、舌片４９２の右角部４９２ａが係合条６６によって左方へ向かって相対的に押圧されているとともに、傾斜面４９２ｂの左端部が角孔３４の左縁部に案内されるため、舌片４９２は、ピンＰ回りに時計方向へ向けて回動し、これによって、図６（Ｃ）に示すように、角孔３４を介して角筒体３０内に没入した解除姿勢へ姿勢変更する。
【００７８】
ついで、解除姿勢に姿勢変更された舌片４９２は、コイルスプリング５０の付勢力で右方へ引っ張られ、舌片４９２の右角部４９２ａが角孔３４の右縁の前後の部分に当止する（図６（Ｄ））。これによってスライドブロック４５は、角筒体３０に対し相対的に右方へ向けて移動し得なくなっているとともに、コイルスプリング５０は、最大の付勢力が保持された状態になる。解除姿勢に姿勢設定された舌片４９２は、係合条６６との係合状態が解除されるため、立て付け戸９０は、図６（Ｄ）に示すように、舌片４９２が係合条６６を遣り過ごしつつ開放することができる。
【００７９】
そして、一旦開放された立て付け戸９０を左方へ移動させて開けていくと、図７（Ａ）に示すように、三角ブロック４９１の前方右縁部４９１ｂが係合条６６に係合し、これによって舌片４９２は、ピンＰ回りに反時計方向に向けて回動して係合条６６に対する解除姿勢から係合条６６に係合する係合姿勢へと姿勢変更する（図７（Ｂ）参照）。
【００８０】
そして、舌片４９２は、この姿勢変更によって角孔３４から抜け出し、当該舌片４９２の右角部４９２ａが角孔３４の右縁部へ係止されていた状態が解消されるため、引掛け部材４９は、その三角ブロック４９１がガイドスリット３３に入り込み得るようになる。
【００８１】
そして、図７（Ｂ）に示すように、舌片４９２が係合条６６に係合し、且つ、三角ブロック４９１がガイドスリット３３に入り込んだ状態では、弾性変形で伸張しているコイルスプリング５０の付勢力は、角筒体３０を左方へ移動させるように作用するため、結果として立て付け戸９０は、スライドアシスト装置１０のアシストにより角筒体３０を介し左方へ自動的に移動して閉止される。
【００８２】
第１実施形態のスライドアシスト装置１０に関し、図２〜図７では、立て付け戸９０の左側に設けられるものを例に挙げて説明したが、右側のものは、左側のものと左右対称に形成され、立て付け戸９０を閉止するときにアシストするようになされている以外、構成および作用効果の点で左側のものと同様である。
【００８３】
以上詳述したように、第１実施形態に係るスライドアシスト装置１０によれば、立て付け戸９０に設けられた引戸側係合部材としての引掛け部材４９は、鴨居用案内溝７１の側方側でトリガー６０の係合条６６と係合するので、立て付け戸９０頂面と鴨居７０の鴨居用案内溝７１の下面（溝底）との間の比較的狭い空間で係合する従来のアシスト装置と比べてその上下幅を十分に（具体的には、鴨居用案内溝７１の溝深さ寸法まで）確保することができる。また、トリガー６０および引掛け部材４９の少なくとも一方は、互いに確実に係合し合う所定の上下幅に設定されているため、寸法誤差や組み付け誤差等による鴨居７０側および立て付け戸９０側の上下の相対位置関係に変動があっても、所定幅に形成された少なくとも一方側の係合部材の幅寸法によって誤差等の上下位置関係の変動を吸収することができ、これにより両係合部材が互いに係合し合わないような不都合の発生を確実に防止することができる。
【００８４】
しかも、このように構成することで、上下の相対位置関係の変動を調整するための調整装置を別途設ける必要がなく、その分、コストの上昇を抑制することができるばかりか、調整作業も不要になる。
【００８５】
また、トリガー６０の係合条６６および引掛け部材４９の舌片４９２の上下寸法の総和は、鴨居用案内溝７１の溝壁の上下寸法と略同一ないしはそれより大きく設定されていることが好ましく、こうすることで、立て付け戸９０の頂部が鴨居用案内溝７１に遊嵌されている限り係合条６６および舌片４９２は、少なくとも上下方向のいずれかの個所で接触することとなり、上下位置関係の変動に拘わらず両者を確実に係合させることができる。
【００８６】
また、第１実施形態のスライドアシスト装置１０においては、鴨居側係合部材としてのトリガー６０は、鴨居用案内溝７１の溝壁から立て付け戸９０側へ突出する係合条６６と、この係合条６６の上下から延設された上部ブラケット片６４および下部ブラケット片６５とを有し、これら上下のブラケット片６４，６５が鴨居用案内溝７１の側壁面に固定されているため、係合条６６の鴨居７０への取付状態を安定させることができ、舌片４９２が誤動作を起こさないようにすることができる。
【００８７】
そして、特に引掛け部材４９は、その下縁部が鴨居用案内溝７１の開口部より下方に位置するように設定されているため、引掛け部材４９の作動状態を簡単に視認することができ、しかも、舌片４９２が所定の姿勢に姿勢設定されなければならないにも拘わらずにそれが実現されていないときなどには、引掛け部材４９の露出している部分を手で操作することで舌片４９２を本来あるべき正常な姿勢に調整することができる。
【００８８】
また、本実施形態においては、２つのスライドアシスト装置１０が採用され、一方のスライドアシスト装置１０を立て付け戸９０の閉止操作で機能させる一方、他方のスライドアシスト装置１０を立て付け戸９０の解放操作で機能させるようにしているため、立て付け戸９０を開くときと閉じるときとの双方でスライドアシスト装置１０がその機能を発揮し、これにより立て付け戸９０の開け閉めの双方が容易になるとともに、立て付け戸９０の閉め残しおよび開け残しの双方を生じなくすることができる。
【００８９】
しかも、本実施形態においては、円筒部材４０やスライドブロック４５、さらには引掛け部材４９やコイルスプリング５０等が角筒体３０内装されてなる戸首部材２０は、鴨居７０の鴨居用案内溝７１に遊嵌される立て付け戸９０の戸首の一部として構成されている。従って、スライドアシスト装置１０が設けられていない立て付け戸の頂部のオリジナルの戸首を戸首部材２０と取り替えるという簡単なリフォーム処理で、アシスト機能を有しない通常の立て付け戸を、本発明に係るアシスト機能を備えたものにリフォームすることができる。
【００９０】
そして、このように、左右対称のスライドアシスト装置１０を立て付け戸９０の頂部に設けることによって、立て付け戸９０の開閉操作の双方でスライドアシスト装置１０によるスライドアシストを受けることができ好都合である。
【００９１】
以下、図８〜図１９を基に本発明の第２実施形態に係るスライドアシスト装置１０′について説明する。これらの図の内、まず、図８は、本発明に係る引戸のスライドアシスト装置の第２実施形態が適用された立て付け戸を示す分解斜視図であり、図９は、その組み立て斜視図である。なお、図８および図９においてＸ方向を左右方向、Ｙ方向を前後方向といい、特に−Ｘを左方、＋Ｘを右方、−Ｙを前方、＋Ｙを後方という。
【００９２】
まず、図８に示すように、引戸のスライドアシスト装置１０′は、頂部が鴨居７０に設けられた下面開放の鴨居用案内溝７１に遊嵌され、かつ、下縁部が敷居８０に開閉方向へ延びるように設けられた下部案内溝（ガイド部）８１に嵌め込まれた状態で左右方向に正逆移動して開閉可能とされた、いわゆる立て付け戸（引戸）９０を対象とするものである。鴨居用案内溝７１は、溝幅寸法が、後述する角筒体３０の前後幅寸法に後述する矢尻片（戸首側係合部材）４８の角筒体３０からの突出量を加えた寸法より若干広めに設定されている。
【００９３】
立て付け戸９０は、第１実施形態のスライドアシスト装置１０で採用されたものと同一であり、平らな板状の戸本体９１と、この戸本体９１の上縁部に設けられる目隠し板９２と、この戸本体９１の下縁部に取り付けられた左右方向一対に戸車９３とを備えている。戸車９３は、戸本体９１の下縁部の適所が凹没されることによって形成された戸車収納凹部９３１に装着され、外観視を美麗にするべく外部からは視認し得ないようになされている。
【００９４】
そして、立て付け戸９０が建物のドアー枠における鴨居７０と敷居８０との間に立て付けられた状態で、当該立て付け戸９０の上部と鴨居７０の案内溝７１の溝壁との間にスライドアシスト装置１０′をメンテナンスするためのメンテナンス用の隙間が形成されている。こうすることで、スライドアシスト装置１０′に不具合が生じた場合、立て付け戸９０を外すような面倒な作業を行わなくても、隙間から指を差し入れてスライドアシスト装置１０′の不具合を解消することができ、立て付け戸９０のメンテナンス作業の作業性を向上させることができる。
【００９５】
そして、このような立て付け戸９０に適用される引戸のスライドアシスト装置１０′は、戸本体９１の上縁部の左右対称位置（具体的には、それぞれ立て付け戸９０の上縁部の右端および左端に寄せた位置）に取り付けられる左右一対の戸首部材２０′と、この戸首部材２０′に対応して前記鴨居７０の鴨居用案内溝７１の後方内壁（溝壁）７２に固定された左右一対の係合プレート（鴨居側係合部材）６０とを備えている。一対の係合プレート６０′は、立て付け戸９０を開閉するに際し、一対の戸首部材２０′の内の対応した方の後述する矢尻片４８と係合させるためのものであり、鴨居用案内溝７１の後方側の後方内壁（溝壁）７２の左右対称位置にそれぞれ取り付けられている。
【００９６】
戸首部材２０′が立て付け戸９０の上縁部に左右一対で設けられるのは、立て付け戸９０のスライドアシストにおいて、立て付け戸９０を右方へ向けて移動（本実施形態では立て付け戸９０の閉止方向への移動）させるとき右側の戸首部材２０′を機能させる一方、立て付け戸９０を左側へ移動（本実施形態では立て付け戸９０の開放方向への移動）させるとき左側の戸首部材２０′を機能させるようにするためである。
【００９７】
各戸首部材２０′の前後幅寸法は、立て付け戸９０の厚み寸法より若干小さめ（具体的には立て付け戸９０の厚み寸法の略２／３）に設定されている。かかる各戸首部材２０′の対向端面には、それぞれ装着隙間２９１を有する直方体状の二股片２９が固定されている。各装着隙間２９１は、二股片２９の対向面に上下方向に延びるように設けられている。そして、前記目隠し板９２は、左右の端部がこれら一対の二股片２９の各装着隙間２９１に嵌め込まれることにより、図９に示すように、一対の戸首部材２０′間に形成された間隙が埋められ、これによってこの部分を通した向こう側が目隠しされるようになっている。
【００９８】
以下、かかる引戸のスライドアシスト装置１０′について、図１０〜図１３を基にさらに詳細に説明する。図１０は、本発明の第２実施形態に係る戸首部材２０′を示す分解斜視図であり、図１１は、その組み立て斜視図である。また、図１２は、図１１のＸＩＩ−ＸＩＩ線断面図であり、図１３は、図１１のＸＩＩＩ−ＸＩＩＩ線断面図である。なお、図１０〜図１３においてＸ方向を左右方向といい、Ｙ方向を前後方向という。そして、特に−Ｘを左方、＋Ｘを右方、−Ｙを前方、＋Ｙを後方という。因みに、図１０〜図１３においては、左右対称に設けられた戸首部材２０′および係合プレート６０′の内の右側のもののみを示している。左側のものは、右側のものと左右対称に形成されていることを除いてその構成は左側のものと同一である。そして、右側の戸首部材２０′′は、立て付け戸９０を閉止するときに当該閉止操作をアシストし、左側の戸首部材２０′′は、立て付け戸９０を開放するときに当該開放操作をアシストする。
【００９９】
前記戸首部材２０′は、それぞれ直方体状を呈する左右方向一対のエッジブロック２１と、これら一対のエッジブロック２１が両端部に嵌め込まれる角筒体３０と、この角筒体３０に内装される円筒部材４０′と、この円筒部材４０′に内装されるコイルスプリング（引きバネ）５０′と、前記円筒部材４０′の右端部に取り付けられ、立て付け戸９０の開閉操作で前記係合プレート６０′と係合したり係合が解除されたりする、矢尻片４８とを備えて構成されている。円筒部材４０′は、長さ寸法が立て角筒体３０の左右方向の寸法の略半分に設定されている。
【０１００】
前記一対のエッジブロック２１の内の図１０〜図１２に示す左方のものには、その左面側に前記二股片２９が二股部分を左方へ向けた状態で一体に延設されているとともに、右面側には、左方へ向かって切り込まれることによって形成された上下方向に延びる切り込み溝２１１が設けられている。
【０１０１】
また、エッジブロック２１には、前記切り込み溝２１１を通るように前後方向に向けて貫通された貫通孔２１２が設けられている。さらに、左側のエッジブロック２１の左面には、左右方向へ延びるネジ孔２１３が螺設されている。これに対し右側のエッジブロック２１は、切り込み溝２１１は設けられず、左側のものと同様の貫通孔２１２が穿設されているとともに、右面側に左右方向に延びるネジ孔２１３が螺設されている。
【０１０２】
前記角筒体３０は、金属板を端面視でコ字状を呈するようにプレス処理して形成された、両端部に前記エッジブロック２１が嵌め込まれる、前面側が開放状態の第１アングル材３１と、この第１アングル材３１に全長に亘って外嵌される後面側が開放状態の端面視でコ字状を呈する第２アングル材３２とからなっている。
【０１０３】
前記第１アングル材３１には、その縦板３１１における前後のエッジブロック２１の各貫通孔２１２に対応した位置にネジ孔３１２がそれぞれ螺設されているとともに、前記第２アングル材３２には、その縦板３２１における前後のエッジブロック２１の各貫通孔２１２に対応した位置にネジＳを挿通するための挿通孔３２２がそれぞれ穿設されている。
【０１０４】
さらに、第１アングル材３１の縦板３１１には、その左右方向の略中央位置から右方へ向かって前後方向に貫通状態で切り込まれることにより形成された左右方向に長尺のガイドスリット３３と、このガイドスリット３３の右端部に連通した縦板３１１の全上下幅に亘る角孔３４とが設けられている。
【０１０５】
本実施形態においては、角筒体３０と、この角筒体３０の前後の端部に装着される一対のエッジブロック２１とで本発明に係る枠体が形成されている。
【０１０６】
以下、円筒部材４０′、コイルスプリング５０′および矢尻片４８について図１４および図１５を基に必要に応じて他の図面も参照しながら詳細に説明する。図１４は、円筒部材４０′の一実施形態を示す分解斜視図であり、図１５は、その一部切り欠き組み立て斜視図である。なお、図１４および図１５におけるＸおよびＹによる方向表示は図１０の場合と同様（−Ｘ：左方、＋Ｘ：右方、−Ｙ：前方、＋Ｙ：後方）である。
【０１０７】
円筒部材４０′は、図１１に示すように、前記角筒体３０に内装されるものであり、図１４に示すように、角筒体３０内で左方側に配設される内筒体４１′と、この内筒体４１′に右方から外嵌される外筒体４２′と、この外筒体４２′の右端部に固定された外観視で直方体状を呈する、前記矢尻片４８を装着するための箱体４３とを備えている。前記コイルスプリング５０′は、図１４に示すように、伸張状態で内筒体４１′の左端部と外筒体４２′の右端部との間に架設される。
【０１０８】
そして、第２実施形態においては、前記箱体４３と、前記矢尻片４８とで本発明に係る引戸側係合部材が形成されている。
【０１０９】
前記内筒体４１′は、その左端部開口を閉止するための左方栓部材４１１を有している。この左方栓部材４１１は、内筒体４１′へ圧入可能に径設定された円柱状の栓本体４１２と、この栓本体４１２の左端面から左方へ向かって突設された第１ブラケット４１３と、同右端面から右方へ向かって突設された第２ブラケット４１４とからなっている。
【０１１０】
前記栓本体４１２には、左右方向に向けて貫通した通気孔４１５が設けられているとともに、この通気孔４１５の途中には図略の逆止弁が設けられている。この逆止弁は、円筒部材４０′内へ向かう気流を容易に流通させることができる一方、円筒部材４０′内から外部へ向かう気流は大きな抵抗によって流通困難になるように設定され、これによって立て付け戸９０を閉止するときの緩衝器としての機能を果たすようになされている。
【０１１１】
前記第１ブラケット４１３は、円筒部材４０′を前記左側のエッジブロック２１に連結するためのものである。第１ブラケット４１３には、貫通孔４１３ａが穿設されている。そして、第１ブラケット４１３を左方のエッジブロック２１の切り込み溝２１１に差し込んだ状態で当該エッジブロック２１を第１および第２アングル材３１，３２で挟持し、この状態で第２アングル材３２の挿通孔３２２、エッジブロック２１の貫通孔２１２および第１ブラケット４１３の貫通孔４１３ａにネジＳを挿通し、当該ネジＳを第１アングル材３１のネジ孔３１２に螺着して締結することにより、円筒部材４０′が角筒体３０内に装着された状態になる。
【０１１２】
前記第２ブラケット４１４には、コイルスプリング５０′の左端部（具体的には後述の左側のフック５１）を係止するための係止孔４１４ａが穿設されている。
【０１１３】
前記外筒体４２′は、その右端部開口が右方栓部材４２１によって閉止されている。右方栓部材４２１は、外筒体４２′に圧入される栓本体４２２と、この栓本体４２２の左端面から左方に向かって突設された第３ブラケット４２３とを備えている。第３ブラケット４２３には、コイルスプリング５０′の右端部（具体的には後述の右側のフック５１）を係止するための係止孔４２３ａが穿設されている。
【０１１４】
前記コイルスプリング５０′は、装着状態で内筒体４１′の第２ブラケット４１４と外筒体４２′の第３ブラケット４２３との間に架設され、これによって内筒体４１′を外筒体４２′内へ没入させる方向に向けて付勢するものである。かかるコイルスプリング５０′の両端部には、それぞれフック５１が形成されている。そして、コイルスプリング５０′は、これらのフック５１が第２および第３ブラケット４１４，４２３の各係止孔４１４ａ，４２３ａにそれぞれ係止されることによって円筒部材４０′に装着された状態になる。
【０１１５】
前記箱体４３は、矢尻片４８を保持するためのものである。かかる箱体４３は、その左面板４３１が外筒体４２′の右端部に溶接等によって固定されている。箱体４３の右面は開放状態とされている。また、箱体４３の後面板４３２には、矢尻片４８の後述する首部４８２を通すための左右方向に延びた長孔４３３が穿設されている。長孔４３３の右端は開放されている。
【０１１６】
さらに、箱体４３の天板４３４には、箱体４３内で矢尻片４８を軸支するための軸ネジ（垂直軸）４４を通す挿通孔４３４ａが穿設されているとともに、箱体４３の底板４３５には、軸ネジ４４を螺着するためのネジ孔４３５ａが螺設されている。
【０１１７】
従って、軸ネジ４４を挿通孔４３４ａに通して矢尻片４８の半円部４８３の支持孔４８４に貫通させ、先端をネジ孔４３５ａに螺着して締結することにより、矢尻片４８が軸ネジ４４回りに回動可能に箱体４３に装着されることになる。
【０１１８】
前記天板４３４および底板４３５は、これらの後方右角部が挿通孔４３４ａおよびネジ孔４３５ａの孔心を中心とし、かつ半径が天板４３４および底板４３５の前後寸法の半分に設定された円周に沿うように円弧状に形状設定されているとともに、後面板４３２は、この円弧形状に沿うように平面視で湾曲されている。従って、矢尻片４８が軸ネジ４４回りに時計方向に向けて回動しても、当該矢尻片４８の矢尻本体４８１が箱体４３の後方右角部と係合することはない。
【０１１９】
前記矢尻片４８は、図１４に示すように、後方の先端が先鋭に尖った平面視で二等辺三角形状の矢尻状を呈する矢尻本体４８１と、この矢尻本体４８１の前端面から突設された首部４８２と、この首部４８２の前端から延設された平面視で半円状の半円部４８３とからなっている。前記矢尻本体４８１は、上下寸法が箱体４３の上下寸法と略同一に設定されている。
【０１２０】
前記首部４８２は、矢尻本体４８１の上下方向の略中央部から前方に向かって突設されている。このような首部４８２の突出量は、円筒部材４０′が戸首部材２０′角筒体３０に内装された状態で首部４８２がガイドスリット３３から外部に突出し得る長さに設定されている。
【０１２１】
前記半円部４８３は、曲率半径が首部４８２の左右寸法と略等しく設定されている。かかる半円部４８３は、平面視でその弦に対応する部分の右半分が首部４８２の基端部（前端部）に接続されている。このような半円部４８３の中央部より僅かに左方へ寄った位置に、上下方向へ貫通した支持孔４８４が穿設されている。
【０１２２】
かかる矢尻片４８は、その首部４８２を箱体４３の右面開口から後面板４３２の長孔４３３へ嵌め込んでいき、挿通孔４３４ａを介して軸ネジ４４を半円部４８３の支持孔４８４に挿通し、底板４３５のネジ孔４３５ａに螺着して締結することにより、箱体４３に装着される。
【０１２３】
矢尻片４８の設置位置は、当該矢尻片４８が箱体４３に装着された状態で、首部４８２が長孔４３３から、第１アングル材３１の厚さ分だけ突出するように設定されている。具体的には、このようになるように軸ネジ４４が挿通される挿通孔４３４ａの穿設位置が設定されている。
【０１２４】
そして、コイルスプリング５０′が内筒体４１′および外筒体４２′に内装され、かつ、矢尻片４８が箱体４３に装着された円筒部材４０′は、立て付け戸９０が閉止された状態で、図１５に示すように、コイルスプリング５０′の付勢力により最小長さ寸法に設定されている。このような状態の円筒部材４０′が、その矢尻片４８の矢尻本体４８１を第１アングル材３１から外部に突出させた状態で角筒体３０に内装される。
【０１２５】
また、矢尻片４８の矢尻本体４８１は、図１３に示すように、その下部が鴨居用案内溝７１から下方へ向けて突出されている。このようにされる理由は、第１実施形態の場合と同様であり、スライドアシスト装置１０′の作動状態を簡単に視認し得るようにするとともに、誤動作しているときには、矢尻本体４８１の露出している部分を手で操作することにより容易に正常な状態に戻し得るようにするためである。
【０１２６】
前記係合プレート６０′は、立て付け戸９０が開閉されるに際し、前記矢尻片４８の矢尻本体４８１および半円部４８３の左側部のいずれかと係合して当該矢尻片４８を軸ネジ４４回りに正逆回動させ、これによって立て付け戸９０を閉止するに際し当該閉止操作をアシスト（援助）するものである。
【０１２７】
係合プレート６０′は、金属板を凸字状に折り曲げ処理することによって形成されている。かかる係合プレート６０′は、左右一対の裾部６１と、これら一対の裾部６１間において前方へ向かって膨出された膨出部６２とからなっている。そして、このような係合プレート６０′の上下寸法は、鴨居用案内溝７１の溝深さと同一に設定されている。
【０１２８】
このような係合プレート６０′は、立て付け戸９０が図１１に示すように閉止された状態で、矢尻片４８の矢尻本体４８１が係合プレート６０′の膨出部６２の右縁面に当接するように設置位置が設定されている。
【０１２９】
各裾部６１には、少なくとも１つのネジ孔６３が螺設され、これらのネジ孔６３に鴨居７０の後面側から貫通されたネジＳが螺着されて締結されることにより、係合プレート６０′が鴨居７０の鴨居用案内溝７１の溝壁に固定されている。
【０１３０】
図１６は、矢尻片４８の矢尻本体４８１の第１アングル材３１からの突出状態および矢尻本体４８１と係合プレート６０′との位置関係を説明するためのスライドアシスト装置１０′を後面側から見た斜視図であって、図１６（Ａ）は、立て付け戸９０が閉止された状態、図１６（Ｂ）は、立て付け戸９０が開かれつつある状態をそれぞれ示している。なお、図１６におけるＸおよびＹによる方向表示は図１０の場合と同様（−Ｘ：左方、＋Ｘ：右方、−Ｙ：前方、＋Ｙ：後方）である。因みに、図１６においては、Ｘで示した左右が実際の紙面の左右と逆転している。
【０１３１】
図１６（Ａ）に示すように、立て付け戸９０が閉止された状態では、矢尻片４８の首部４８２が第１アングル材３１のガイドスリット３３に嵌り込んで最左端に位置し、これによって矢尻本体４８１がガイドスリット３３の最左端の位置で第１アングル材３１から後方に向けて突出した状態になっている。
【０１３２】
一方、前記係合プレート６０′は、立て付け戸９０が閉止された状態で膨出部６２の右縁面の矢尻片４８の矢尻本体４８１に当接している。従って、立て付け戸９０を左方へ移動させて開放していくと、矢尻本体４８１は膨出部６２と係合して動くことができないため、図１６（Ｂ）に示すように、矢尻本体４８１と係合している位置に留まってガイドスリット３３内を相対的に右方へ向かって移動することになる。このとき、矢尻本体４８１と一体の外筒体４２′も停止するため、内筒体４１′のみが移動することになり、これによってコイルスプリング５０′は伸張して付勢力が蓄積されることになる。
【０１３３】
そして、第２実施形態における本発明に係るバネ力伝達機構は、鴨居７０に設けられた係合プレート（鴨居側係合部材）６０′と、コイルスプリング５０′のフリー端部側に取り付けられた立て付け戸９０の移動範囲内の所定の範囲で前記係合プレート６０′と係合する矢尻片（引戸側係合部材）４８とを備えて構成されている。かかるバネ力伝達機構によれば、立て付け戸９０が閉止された状態を始点として当該立て付け戸９０を開放していくと、矢尻片４８が係合プレート６０′に係合していることにより、コイルスプリング５０′が伸張されてその付勢力が蓄積されていく。これに対し、一旦開放された立て付け戸９０を閉止していくと、コイルスプリング５０′の蓄積されていた付勢力が当該閉止されつつある立て付け戸９０に対してアシスト（援助）する力を発揮し、これによって立て付け戸９０を極めて軽く閉止することができるとともに、閉め残しが確実に防止される。
【０１３４】
そして、鴨居７０の後部の下縁面と、立て付け戸９０の戸本体９１の上縁面（戸本体９１の上面における戸首部材２０′より後方の部分）との間には、指を差し入れることが可能なメンテナンス隙間ｄが形成されるようにている。戸本体９１の上下寸法や戸首部材２０′の上下寸法さらには鴨居７０の上下寸法やその鴨居用案内溝７１の溝深さ等が互いに関連されながら設定されている。
【０１３５】
従って、一旦開放した立て付け戸９０を閉止するに際し、コイルスプリング５０′による正常なアシスト力が得られない等、スライドアシスト装置１０′が不調になっているとき（具体的には、矢尻片４８の軸ネジ４４回りの回動姿勢が正常ではなくなっているとき等）は、このメンテナンス隙間ｄから不調の状況を視認することができるとともに、メンテナンス隙間ｄから指を差し入れて矢尻本体４８１を左右に動かす等の操作を施すことにより、不調を解消させることができる。
【０１３６】
以下図１７〜図１９を基に、必要に応じて他の図面も参照しながら、第２実施形態に係る引戸のスライドアシスト装置１０′の作用についてさらに詳細に説明する。図１７〜図１９は、第２実施形態に係るスライドアシスト装置１０′の作用を説明するための平面視の断面図であり、図１７（Ａ）は、立て付け戸９０が閉止された状態、図１７（Ｂ）は、立て付け戸９０が開かれ始めた状態、図１８（Ａ）は、矢尻片４８の矢尻本体４８１が係合プレート６０′の膨出部６２に係合しつつある状態、図１８（Ｂ）は、立て付け戸９０が開放された状態、図１９（Ａ）は、立て付け戸９０を閉止していって矢尻片４８の半円部４８３が係合プレート６０′の膨出部６２に係合しつつある状態、図１９（Ｂ）は、立て付け戸９０が閉止される直前の状態をそれぞれ示している。
【０１３７】
なお、図１７〜図１９において、円内は、矢尻片４８と係合プレート６０′との間の相対的な位置関係を説明するための平面視の部分拡大図であり、四角内は矢尻本体４８１とガイドスリット３３、角孔３４との間の相対的な位置関係を説明するための部分拡大図である。また、図１７〜図１９におけるＸおよびＹによる方向表示は、図１０の場合と同様（−Ｘ：左方、＋Ｘ：右方、−Ｙ：前方、＋Ｙ：後方）である。
【０１３８】
まず、図１７（Ａ）に示すように、立て付け戸９０が閉止されているときには、矢尻片４８の矢尻本体４８１は、角筒体３０のガイドスリット３３から外部に突出した状態で、その左部が係合プレート６０′の膨出部６２の右縁部に当接している。
【０１３９】
この状態で立て付け戸９０を左方に向けて移動させて開放していくと、矢尻本体４８１は、図１７（Ｂ）に示す用に、上下寸法（図１７の紙面に直交する方向の寸法）がガイドスリット３３の溝幅寸法より大きいため、当該ガイドスリット３３の縁部に阻止されて軸ネジ４４回りの時計方向へ向かう回動が阻止され、結局、矢尻本体４８１（すなわち矢尻本体４８１と一体の第２アングル材３２）が現状の位置を維持したままで第１アングル材３１のみが立て付け戸９０に同伴して移動することになる。
【０１４０】
これによって第１および第２アングル材３１，３２間に介設されているコイルスプリング５０′が伸張するため、立て付け戸９０の開度が大きくなるに連れてコイルスプリング５０′の付勢力が大きくなって蓄積されている。
【０１４１】
そして、立て付け戸９０に対する開放操作を継続することによって矢尻本体４８１がガイドスリット３３の右端部を相対的に通り過ぎると、当該矢尻本体４８１は、嵌り込み得る大きさの角孔３４に対向した状態になるため（図１８（Ａ））、係合プレート６０′の膨出部６２に相対的に押されて軸ネジ４４回りに時計方向に向けて回動する。
【０１４２】
矢尻本体４８１は、この回動によって角孔３４内へ嵌り込み、膨出部６２に対する当接状態は解消される。これに代わって矢尻本体４８１の左縁部が、図１８（Ａ）の円内に示すように、角孔３４の左縁部に係止された状態（すなわち、角筒体３０内で左方へ移動し得ない状態）になる。このとき、矢尻片４８の半円部４８３は、軸ネジ４４回りに時計方向に回動することによってガイドスリット３３から後方に向かって突出し、膨出部６２の左方に位置した状態になる。
【０１４３】
従って、図１８（Ｂ）に示すように、以後この状態（すなわち、コイルスプリング５０′が最大限に伸張した状態）を維持したまま立て付け戸９０は、最大開度まで開放されることになる。
【０１４４】
ついで、一旦開放された立て付け戸９０を閉じていくと、当該立て付け戸９０が略半分閉じた状態で、図１９（Ａ）に示すように、ガイドスリット３３から右方へ向けて突出している矢尻片４８の半円部４８３が係合プレート６０′の膨出部６２の左縁部に当接する。従って、この状態で立て付け戸９０の閉止操作を継続すると、半円部４８３が膨出部６２によって相対的に押圧されることで矢尻片４８が軸ネジ４４回りに反時計方向に向けて回動し、これによって半円部４８３がガイドスリット３３を介して角筒体３０内に没入する一方、矢尻本体４８１が角孔３４から外部に突出して首部４８２がガイドスリット３３内に嵌り込む。
【０１４５】
従って以後は、図１９（Ｂ）に示すように、矢尻本体４８１の根本部分が角孔３４の左縁部から外れることにより、矢尻片４８がガイドスリット３３に案内されつつ移動可能になるため、結果として立て付け戸９０は、一旦伸張して付勢力が蓄積されたコイルスプリング５０′の圧縮により、特に大きな力を加えなくても当該コイルスプリング５０′のアシストにより軽く閉止することができるようになる。
【０１４６】
第２実施形態のスライドアシスト装置１０′に関し、図１０〜図１９では、立て付け戸９０の右側に設けられるものを例に挙げて説明したが、左側のものは、右側のものと左右対称に形成され、立て付け戸９０を開放するときにアシストするようになされている以外、構成および作用効果の点で右側のものと同様である。
【０１４７】
そして、このように、左右対称のスライドアシスト装置１０′を立て付け戸９０の頂部に設けることによって、立て付け戸９０の開閉操作の双方でスライドアシスト装置１０′によるスライドアシストを受けることができ好都合である。
【０１４８】
第２実施形態のスライドアシスト装置１０′についても、その作用効果は、第１実施形態のものと同様であるが、特に第２実施形態のスライドアシスト装置１０′にあっては、立て付け戸９０側の係合部材である矢尻片４８の構造が、第１実施形態のスライドブロック４５および引掛け部材４９からなる引戸側係合部材に比較して簡単な構造であるため、その分、製造コストの低減化に貢献することができる。
【０１４９】
以上詳述したように、本発明に係るスライドアシスト装置１０，１０′は、引戸として頂部の戸首部材２０，２０′が鴨居７０の鴨居用案内溝７１に遊嵌され、かつ、下縁部が敷居８０に開閉方向へ延びるように設けられた敷居用案内溝８１に支持されて案内される、いわゆる立て付け戸９０を対象とするものであり、当該立て付け戸９０のスライド操作をアシストするためのものである。
【０１５０】
そして、かかるスライドアシスト装置１０，１０′は、鴨居７０に設けられた鴨居側係合部材（第１実施形態ではトリガー６０、第２実施形態では係合プレート６０′）と、立て付け戸９０の移動範囲内の所定の範囲で係合プレート６０と係合する戸首部材２０側に設けられた戸首側係合部材（第１実施形態ではスライドブロック４５および舌片４９２を備えた引掛け部材４９、第２実施形態では矢尻片４８）と、鴨居側係合部材および戸首側係合部材が互いに係合した状態で立て付け戸９０が移動することにより立て付け戸９０に付勢力を付与するコイルスプリング５０，５０′とからなり、蓄積されたコイルスプリング５０，５０′の付勢力を利用して立て付け戸９０の移動をアシストするように機能するバネ力伝達機構とを備えている。
【０１５１】
かかる構成のスライドアシスト装置１０，１０′によれば、閉止されている立て付け戸９０を開いたり、または開放されている立て付け戸９０を閉じたりするに際し、当該立て付け戸９０は、コイルスプリング５０，５０′の付勢力によって移動がアシストされるため、立て付け戸９０の開放または閉止のための移動操作が軽くなり、立て付け戸９０の移動操作が容易になるとともに、立て付け戸９０の閉め残しや開け残しを起こさないようにすることができる。
【０１５２】
そして、鴨居側係合部材は、鴨居７０の鴨居用案内溝７１の後方内壁７２側に設けられているとともに、戸首側係合部材は、戸首部材２０における後方内壁７２に対向した面側に設けられているため、両者の上下方向の位置変動に拘わらずに両者を係合させるように設計することが可能であり、結果として立て付け戸９０が吊り戸ではない立て付け戸であっても、寸法誤差や組み付け誤差などによって鴨居７０側および戸首部材２０側の係合部材間の相対的な位置関係の変動により両者の係合が行われなくなるような不都合の発生が確実に防止され、結果としてスライドアシスト装置１０，１０′をより確実に機能させることができる。
【０１５３】
また、スライドアシスト装置１０，１０′は、戸首部材２０，２０′を構成要素とするものであるため、既存の引戸を対象とし、当該引戸に本発明に係るスライドアシスト装置１０，１０′を適用して、いわゆるリフォーム処理を施す場合、既存の戸首を本発明に係る戸首部材２０，２０′に付け代えるだけで済ませることができ、引戸のリフォームの点から見ても本発明に係るスライドアシスト装置１０，１０′は優れている。
【０１５４】
本発明は、上記の実施形態に限定されるものではなく、以下の内容をも包含するものである。
【０１５５】
（１）上記の実施形態においては、角筒体３０は、断面視でコ字状を呈した第１アングル材３１に同様の第２アングル材３２を外嵌することによって形成されているが、こうする代わりに当初から一体化された角形のパイプを採用してもよい。
【０１５６】
（２）上記の実施形態においては、本発明に係るガイド部として敷居８０に凹設された敷居用案内溝８１が採用されているが、本発明は、ガイド部が敷居用案内溝８１であることに限定されるものではなく、戸車が案内されるレールであってもよい。この場合は特に案内溝を設ける必要がない。
【０１５７】
（３）上記の実施形態においては、１つの立て付け戸９０に２つのスライドアシスト装置１０，１０′が採用され、当該立て付け戸９０の開閉操作の双方でスライドアシストが行われるようになされているが、本発明は、２つのスライドアシスト装置１０，１０′を採用することに限定されるものではなく、１つのスライドアシスト装置１０，１０′で立て付け戸９０の開閉のいずれか一方のスライドアシストを行うようにしてもよい。
【０１５８】
（４）上記の第１実施形態においては、トリガー６０は、係合条６６の上下から突設された上下のブラケット片６４，６５を有しているが、これら上下のブラケット片６４，６５の内のいずれか一方側のみを採用するようにしてもよい。これについては第２実施形態の係合プレート６０′についても同様であり、膨出部６２の左右の裾部６１の内の一方側のみを採用してもよい。
【０１５９】
（５）上記の第１実施形態においては、鴨居側係合部材であるトリガー６０の係合条６６の上下寸法を鴨居用案内溝７１の前方内壁７３の上下寸法と同一に設定しているが、係合条６６と、舌片４９２との相対的な位置関係を所定のものとすることにより、両者の係合範囲を広いものにすることができる。その具体例としては、例えば、以下を挙げることができる。すなわち、係合条６６を鴨居用案内溝７１の前方内壁７３の下端部に設ける一方、舌片４９２の上端部を角筒体３０の上面と同一高さレベルに設定すればよい。こうすることで、係合条６６の上下寸法を鴨居用案内溝７１の前方内壁７３の上下寸法より短くしても、係合条６６と舌片４９２との係合範囲を最大限にすることができる。この場合、本発明に係る鴨居側および引戸側係合部材の上下寸法の総和は、鴨居用案内溝７１の溝深さに舌片４９２の上下寸法を加えた値になる。
【０１６０】
このことについては、第２実施形態における鴨居側係合部材である係合プレート６０′と引戸側係合部材である矢尻片４８の矢尻本体４８１との間の関係についても同様である。
【０１６１】
（６）上記の第１実施形態においては、トリガー６０は、その係合条６６の上端部から延設された上部ブラケット片６４が鴨居用案内溝７１の溝底に固定されるとともに、同下端部から延設された下部ブラケット片６５が鴨居７０の下面に固定されることによって鴨居７０に取り付けられているが、上下のブラケット片６４，６５のいずれか一方のみを採用して鴨居７０に固定するようにしてもよい。
【０１６２】
このことについては、第２実施形態の係合プレート６０′についても同様であり、左右一対の裾部６１の内の一方側のみを採用して係合プレート６０′を鴨居７０に固定するようにしてもよい。
【図面の簡単な説明】
【０１６３】
【図１】本発明に係る引戸のスライドアシスト装置の第１実施形態が適用された立て付け戸を示す一部切り欠き斜視図である。
【図２】第１実施形態に係る左側の戸首部材を示す分解斜視図である。
【図３】図２に示す戸首部材の組み立て斜視図であり、立て付け戸が開放されたときの状態を示している。なお、円内にはトリガーと舌片との相対的な位置関係を示している。
【図４】図２に示す戸首部材の組み立て斜視図であり、立て付け戸が閉止された状態を示している。なお、円内にはトリガーと舌片との相対的な位置関係を示している。
【図５】図３の円内のＶ−Ｖ線断面図である。
【図６】スライドアシスト装置の作用を説明するための平面視の一部断面説明図であり、（Ａ）は、立て付け戸が開放されることによって舌片が係合姿勢に姿勢設定されたスライドアシスト装置が最左端に位置した状態、（Ｂ）は、立て付け戸の閉止動作によってコイルスプリングが伸張しつつある状態、（Ｃ）は立て付け戸が所定距離だけ移動したことにより引掛け部材の舌片が角孔に到達してピン回りに時計方向に回動し、解除姿勢に姿勢変化して角孔を介して角筒体内へ没入した状態、（Ｄ）は、解除姿勢に姿勢設定された舌片がトリガーの係合条を遣り過ごしてコイルスプリングの付勢力を維持したまま立て付け戸が係止動作を継続している状態をそれぞれ示している。
【図７】スライドアシスト装置の作用を説明するための平面視の一部断面説明図であり、（Ａ）は、一旦閉止された立て付け戸を開放操作することにより、引掛け部材の三角ブロックの前方右縁部がトリガーの係合条に係合した状態、（Ｂ）は、舌片が角孔３４から抜け出して係合姿勢から解除姿勢２へ姿勢変化し、これによって舌片の右角部が係合条に係合した状態をそれぞれ示している。
【図８】本発明に係る引戸のスライドアシスト装置の第２実施形態が適用された立て付け戸を示す分解斜視図である。
【図９】図８に示す立て付け戸の組み立て斜視図である。
【図１０】本発明の第２実施形態に係る立て付け戸に設けられたスライドアシスト装置を示す分解斜視図である。
【図１１】図１０に示すスライドアシスト装置の組み立て斜視図である。
【図１２】図１１のＸＩＩ−ＸＩＩ線断面図である。
【図１３】図１１のＸＩＩＩ−ＸＩＩＩ線断面図である。
【図１４】筒部材の一実施形態を示す分解斜視図である。
【図１５】図１４の筒部材の一部切り欠き組み立て斜視図である。
【図１６】矢尻片の矢尻本体の第１アングル材からの突出状態および矢尻本体と係合プレートとの位置関係を説明するためのスライドアシスト装置を後面側から見た斜視図であって、（Ａ）は、立て付け戸が閉止された状態、（Ｂ）は、立て付け戸が開かれつつある状態をそれぞれ示している。
【図１７】引戸のスライドアシスト装置の作用を説明するための平面視の断面図であり、（Ａ）は、立て付け戸９０が閉止された状態、（Ｂ）は、立て付け戸が開かれ始めた状態をそれぞれ示している。
【図１８】引戸のスライドアシスト装置の作用を説明するための平面視の断面図であり、（Ａ）は、矢尻片の矢尻本体が係合プレートの膨出部に係合しつつある状態、（Ｂ）は、立て付け戸が開放された状態をそれぞれ示している。
【図１９】引戸のスライドアシスト装置の作用を説明するための平面視の断面図であり、（Ａ）は、立て付け戸を閉止していって矢尻片の半円部が係合プレートの膨出部に係合しつつある状態、（Ｂ）は、立て付け戸が閉止される直前の状態をそれぞれ示している。
【符号の説明】
【０１６４】
１０，１０′  スライドアシスト装置
２０，２０′  戸首部材        ２１  エッジブロック
２１１  切り込み溝            ２１２  貫通孔
２１３  ネジ孔                ２２  エッジブロック
２２１  ブロック本体          ２２１ａ  ネジ孔
２２２  食み出しブロック      ２２２ａ  貫通孔
２２３  台座ブロック          ２２３ａ  受台
２２３ｂ  脚部                ２３  エッジブロック
２３１  円孔                  ２３２  Ｙ字片
２３３  ネジ孔                ２３４  かしめ孔
２９  二股片                  ２９１  装着隙間
２９２  貫通孔                ３０  角筒体（枠体）
３１  アングル材              ３１１  縦板
３１２  ネジ孔                ３１４  横板
３１５  ネジ孔                ３２  アングル材
３２１  縦板                  ３２２  挿通孔
３２３  横板                  ３２４  挿通孔
３３  ガイドスリット          ３４  角孔
４０  円筒部材                ４０′  ショックアブソーバ
４１，４１′  内筒体          ４１１  左方栓部材
４１２  栓本体                ４１３，４１６  第１ブラケット
４１３ａ  貫通孔              ４１４，４２６  第２ブラケット
４１４ａ  係止孔              ４１５  通気孔
４１６ａ  挿通孔              ４２，４２′  外筒体
４２１  右方栓部材            ４２２  栓本体
４２３  第３ブラケット        ４２３ａ  係止孔
４２６ａ  挿通孔              ４３  箱体
４３１  左面板                ４３２  後面板
４３３  長孔                  ４３４  天板
４３４ａ  挿通孔              ４３５  底板
４３５ａ  ネジ孔              ４４  軸ネジ（垂直軸）
４５  スライドブロック        ４５１  ブロック基体
４５２  軸支板                ４５２ａ  かしめ孔
４５３  突設片（第２係止部）  ４５４  Ｙ字片
４５５  円孔                  ４５６  かしめ孔
４６  装着空間                ４８  矢尻片（戸首側係合部材（バネ力伝達機構））
４８１  矢尻本体              ４８２  首部
４８３  半円部                ４８４  支持孔
４９  引掛け部材              ４９１  三角ブロック
４９１ａ  挿通孔              ４９１ｂ  前方右縁部（第２係止部）
４９２  舌片（戸首側係合部材（バネ力伝達機構））
４９２ａ  右角部（第１係止部）  ４９２ｂ  傾斜面
５０，５０′  コイルスプリング（引きバネ）
５１  フック                  ５５  円形係止片
６０  トリガー（鴨居側係合部材（バネ力伝達機構））
６０′  係合プレート（鴨居側係合部材（バネ力伝達機構））
６１  裾部                    ６２  膨出部
６３  ネジ孔                  ６４  上部ブラケット片（フランジ部）
６５  下部ブラケット片（フランジ部）
６６  係合条（膨出部）        ６７  貫通孔
７０  鴨居                    ７１  鴨居用案内溝
７２  後方内壁（溝壁）        ７３  前方内壁（溝壁）
８０  敷居                    ８１  敷居用案内溝（ガイド部）
９０  立て付け戸（引戸）      ９１  戸本体
９２  目隠し板                ９３  戸車
９３１  戸車収納凹部          Ｍ  木ネジ
Ｐ  ピン（垂直軸）            Ｓ  ネジ
ｄ  メンテナンス隙間
【図１】
2010090571.tif 000003
【図２】
2010090571.tif 000004
【図３】
2010090571.tif 000005
【図４】
2010090571.tif 000006
【図５】
2010090571.tif 000007
【図６】
2010090571.tif 000008
【図７】
2010090571.tif 000009
【図８】
2010090571.tif 000010
【図９】
2010090571.tif 000011
【図１０】
2010090571.tif 000012
【図１１】
2010090571.tif 000013
【図１２】
2010090571.tif 000014
【図１３】
2010090571.tif 000015
【図１４】
2010090571.tif 000016
【図１５】
2010090571.tif 000017
【図１６】
2010090571.tif 000018
【図１７】
2010090571.tif 000019
【図１８】
2010090571.tif 000020
【図１９】
2010090571.tif 000021